(57)【特許請求の範囲】
【請求項１】
画像データを入力する画像データ入力手段と、入力された画像データを処理する画像データ処理手段と、画像処理動作の起動中にメニュー設定が許容される第一のメニュー設定キー群と、画像処理動作の起動中にメニュー設定が禁止される第二のメニュー設定キー群を備えた操作手段と、前記操作手段を介して設定された画像処理メニューに基づく画像処理動作を停止させる停止指示手段を備えている画像処理装置であって、
前記停止指示手段を前記第二のメニュー設定キー群で構成している画像処理装置。
【請求項２】
前記画像データ処理手段による画像データの処理の開始前に前記停止指示手段による停止指示が発生したときに、設定された画像処理メニューをキャンセルするメニューキャンセル手段を備えている請求項１に記載の画像処理装置。
【請求項３】
前記操作手段に、メニューを設定するタッチパネル式の表示手段を備え、前記停止指示手段による停止指示が発生したときに、前記表示手段の表示画面を、画像処理動作の起動前に画像処理メニューを設定する第一の表示画面とは異なる第二の表示画面に変更する表示画面変更手段を備えている請求項１に記載の画像処理装置。
【請求項４】
前記第二の表示画面が、設定された画像処理メニューのキャンセルまたは継続を選択する選択画面である請求項３に記載の画像処理装置。
【請求項５】
前記第二の表示画面が、デフォルトから変更された機能の画面である請求項３または４に記載の画像処理装置。
【請求項６】
前記第二の表示画面が、デフォルトから変更されていない機能の画面である請求項３または４に記載の画像処理装置。
【発明の詳細な説明】
【技術分野】
【０００１】
本発明は、画像データを入力する画像データ入力手段と、入力された画像データを処理する画像データ処理手段と、画像処理動作の起動中にメニュー設定が許容される第一のメニュー設定キー群と、画像処理動作の起動中にメニュー設定が禁止される第二のメニュー設定キー群を備えた操作手段と、前記操作手段を介して設定された画像処理メニューに基づく画像処理動作を停止させる停止指示手段を備えている画像処理装置に関する。
【背景技術】
【０００２】
近年、複写機能や、ファクシミリ機能、スキャナ機能、プリンタ機能等を備えた複合機としての画像処理装置が普及している。
【０００３】
前記画像処理装置は、画像データを入力する画像データ入力手段と、入力された画像データを処理する画像データ処理手段と、画像処理動作の起動中にメニュー設定が許容される第一のメニュー設定キー群と、画像処理動作の起動中にメニュー設定が禁止される第二のメニュー設定キー群を備えた操作手段と、前記操作手段を介して設定された画像処理メニューに基づく画像処理動作を停止させる停止指示手段を備えている。
【０００４】
前記第一のメニュー設定キー群と、前記第二のメニュー設定キー群は、図１５に示すように、前記画像処理装置における操作パネル９９上に、ハードウェアキー９８の形態で設置されたり、タッチパネル式のカラー表示部９７に種々のソフトウェアキーの形態で表示される。
【０００５】
前記第一のメニュー設定キー群は、具体的には、前記画像データ処理手段が、画像処理メニューに基づいた画像処理動作を実行中に、その画像処理動作が終了後に実行することとなる画像処理動作に対する画像処理メニューを入力可能とする入力予約キー９６や、前記画像データ処理手段による画像処理動作の実行後に、当該画像処理装置を省エネモードに移行させる省エネモードキー９５等から構成されている。
【０００６】
前記第二のメニュー設定キー群は、具体的には、当該画像処理装置における各機能をメニュー設定するソフトウェアキーとしての機能選択キーや、複写枚数または画像データの送信先等をメニュー設定する数値入力キー９４、ソフトウェアキーの形態で表示されている各種メニュー設定キーをハードウェアキーにより選択可能とするカーソルキー９２、前記各種メニュー設定キーにより設定された画像処理メニューを確定させるとともに、前記画像処理メニューに基づく画像処理動作をスタートさせるスタートキー９３、一旦入力した画像処理メニューをリセットするリセットキー９１、実行中の前記画像処理メニューに基づく画像処理動作を停止させる停止指示手段としてのクリア／ストップキー９０等により構成されている。
【０００７】
そして、前記第一のメニュー設定キー群に比べ、前記第二のメニュー設定キー群の方が、メニュー設定キーの数が格段に多いものとなっている。
【０００８】
前記画像処理装置は、ユーザにより前記第一のメニュー設定キー群を介して画像処理メニューが設定され、前記スタートキー９３が操作されると、当該画像処理装置が前記設定された画像処理メニューに基づく画像処理動作の実行を開始する。そして、その画像処理動作が終了する前に、前記停止指示手段としてのクリア／ストップキー９０が操作されたときにのみ、前記設定された画像処理メニューに基づく画像処理動作を停止する。
【０００９】
また、画像処理装置には、メモリ内に蓄積されたジョブのプリント中であっても、次のジョブの読込動作を行うことができるマルチジョブ機能を備えたマルチジョブ複写機がある。例えば、読取ジョブとプリントジョブとを別々に登録し、これらのジョブを同時に実行する。そして、これら別々に登録したジョブを個別に容易にキャンセルする従来技術として、例えば、特許文献１に示すような、画像データを取得するための画像データ取得手段と、前記画像データ取得手段によって取得された画像データに基づいて画像出力を行うための画像出力手段と、前記画像データ取得手段もしくは前記画像出力手段におけるジョブをキャンセルするための指示手段と、前記指示手段を表示するための表示手段とを備えた画像形成装置において、前記表示手段における前記指示手段の表示を、前記画像データ取得手段および前記画像出力手段の動作状況に応じて切り換えるための制御手段を備えた画像処理装置が提案されている。
【００１０】
【特許文献１】特開２００３−３４８２７７号公報
【発明の開示】
【発明が解決しようとする課題】
【００１１】
近年の画像処理装置における処理能力はますます向上し、例えば、複写機能では、１枚／秒をはるかに上回る処理能力を持つものも登場している。
【００１２】
このような画像処理装置では、設定された画像処理メニューに基づく画像処理動作の実行を開始した後に、ユーザが、画像処理メニューの設定ミスに気が付き、その動作を停止させようとした場合、その動作を停止させるためのクリア／ストップキー９０の操作に戸惑うと、その間に、ミス設定されたままの画像が形成された出力用紙が大量に排出されることとなる。
【００１３】
そして、従来技術では、操作パネル上に、上述したように各種メニュー設定キーが数多く配置されているにも関わらず、特定のメニュー設定キー、例えば、前記クリア／ストップキー９０のみが画像処理動作を停止させることが可能となっている。このため、数多く配置されている各種メニュー設定キーの中から前記クリア／ストップキー９０を探し出して、それを操作しなくてはならず、不慣れなユーザや、とっさの出来事に慌てたユーザの多くは、その操作に戸惑ってしまうことが問題となっていた。
【００１４】
本発明は、上述の従来欠点に鑑み、その操作に戸惑うことなく画像処理動作を停止させることができる画像処理装置を提供する点にある。
【課題を解決するための手段】
【００１５】
上述の目的を達成するため、本発明による画像処理装置の第一の特徴構成は、特許請求の範囲の書類の請求項１に記載した通り、画像データを入力する画像データ入力手段と、入力された画像データを処理する画像データ処理手段と、画像処理動作の起動中にメニュー設定が許容される第一のメニュー設定キー群と、画像処理動作の起動中にメニュー設定が禁止される第二のメニュー設定キー群を備えた操作手段と、前記操作手段を介して設定された画像処理メニューに基づく画像処理動作を停止させる停止指示手段を備えている画像処理装置であって、前記停止指示手段を前記第二のメニュー設定キー群で構成している点にある。
【００１６】
上述の構成によれば、前記停止指示手段が、前記第二のメニュー設定キー群で構成されているため、画像処理動作を停止させるためのメニュー設定キーの数を格段に増加させることができるのである。つまり、ユーザは、画像処理メニューの設定ミスに気が付いたときに、戸惑うことなく、反射的に、任意に適当なメニュー設定キーを操作すれば、大抵の場合において、画像処理動作を停止させることができる。
【００１７】
同第二の特徴構成は、同請求項２に記載した通り、上述の第一の特徴構成に加えて、前記画像データ処理手段による画像データの処理の開始前に前記停止指示手段による停止指示が発生したときに、設定された画像処理メニューをキャンセルするメニューキャンセル手段を備えている点にある。
【００１８】
ユーザが画像処理動作を開始させるためのメニュー設定キーを操作した後、即時、それを停止させるためのメニュー設定キー、つまり、前記停止指示手段を操作したときには、画像処理メニューの内容に関わらず、誤って画像処理動作を開始させるためのメニュー設定キーを操作した可能性が高い。つまり、上述の構成によれば、メニューキャンセル手段が前記画像データ処理手段による画像データの処理の開始前に前記停止指示手段による停止指示が発生したときに、設定された画像処理メニューをキャンセルするため、ユーザは、先に設定した画像処理メニューに惑わされることなく、新たな画像処理メニューを再設定することができる。
【００１９】
同第三の特徴構成は、同請求項３に記載した通り、上述の第一の特徴構成に加えて、前記操作手段に、メニューを設定するタッチパネル式の表示手段を備え、前記停止指示手段による停止指示が発生したときに、前記表示手段の表示画面を、画像処理動作の起動前に画像処理メニューを設定する第一の表示画面とは異なる第二の表示画面に変更する表示画面変更手段を備えている点にある。
【００２０】
同第四の特徴構成は、同請求項４に記載した通り、上述の第三の特徴構成に加えて、前記第二の表示画面が、設定された画像処理メニューのキャンセルまたは継続を選択する選択画面である点にあり、ユーザは、容易に、一旦停止した画像処理メニューをキャンセルするか否か、または、継続するか否かの操作をすることができる。
【００２１】
同第五の特徴構成は、同請求項５に記載した通り、上述の第三または第四の特徴構成に加えて、前記第二の表示画面が、デフォルトから変更された機能の画面である点にあり、ユーザは、容易に、停止させた画像処理メニューを変更することができる。
【００２２】
同第六の特徴構成は、同請求項６に記載した通り、上述の第三または第四の特徴構成に加えて、前記第二の表示画面が、デフォルトから変更されていない機能の画面である点にあり、ユーザは、容易に、停止させた画像処理メニューを変更することができる。
【発明の効果】
【００２３】
以上説明した通り、本発明によれば、その操作に戸惑うことなく画像処理動作を停止させることができる画像処理装置を提供することができるようになった。
【発明を実施するための最良の形態】
【００２４】
以下、本発明の画像処理装置を複写機能や、ファクシミリ機能、スキャナ機能、プリンタ機能等を備えたデジタル複合機に適用した実施形態について説明する。図１に示すように、前記デジタル複合機１０は、インターフェース１１を介してパーソナルコンピュータ１２に接続されるとともに、電話回線１３を介して他の複合機やファクシミリ装置（ＦＡＸ）１４に接続されている。
【００２５】
また、前記デジタル複合機１０は、画像データを入力する画像データ入力手段１５としてのスキャナ部１５と、前記スキャナ部１５から入力された画像データや前記インターフェース１１を介して前記パーソナルコンピュータ１２から送信されてくる画像データ、前記電話回線１３を介して他の複合機やファクシミリ装置（ＦＡＸ）１４から送信されてくる画像データ等を記憶する画像メモリ１６と、所定のプリントデータに基づいて出力用紙上に画像を形成して出力する画像形成手段１７としてのプリンタ部１７と、他の複合機やファクシミリ装置（ＦＡＸ）１４との間で所定の画像データを送受信するファクシミリ通信部１８と、当該デジタル複合機１０の機能等をメニュー設定するとともに、当該デジタル複合機１０へのメニュー設定状態やその動作状態を表示する操作表示部１９しての操作手段１９と、前記各機能ブロックを統括制御する制御部２０を備えて構成されている。尚、前記制御部２０は、単一または複数のＣＰＵや、その動作プログラムが格納されたＲＯＭ、ワーキングエリアに使用されるＲＡＭ等を備えたマイクロコンピュータである。また、前記プリンタ部１７とファクシミリ通信部１８が、入力または送信されてきた画像データを処理する画像データ処理手段２６として構成されている。
【００２６】
前記スキャナ部１５は、図示しない原稿載置部にセットされた原稿を読み取り、ライン単位で画像信号に変換し、この画像信号に所定の信号処理（レベル補正、γ補正、Ａ／Ｄ変換等）を施した画像データを順次取得することによって、スキャナ機能を発揮するように構成されている。
【００２７】
前記プリンタ部１７は、例えば、レーザプリンタからなり、画像データから変換されたプリントデータに基づいて出力用紙上に画像を形成して出力するといったプリンタ機能（又はコピー機能）を発揮するもので、専用のコントローラ１７ａを備えて構成されている。
【００２８】
詳述すると、前記プリンタ部１７は、図２に示すように、前記制御部２０により、プリント開始信号が入力されると、当該プリンタ部１７により最初に画像が形成された出力用紙が当該プリンタ部１７から排出済みか否かを判断するためのファーストプリント確認フラッグＦ１をリセットする（ＳＡ１）。
【００２９】
そして、前記制御部２０により前記画像データから変換されたプリントデータが前記コントローラ１７ａに入力されると、前記コントローラ１７ａが前記プリントデータを内部メモリに一時記憶させながら、順次入力されるプリントデータに基づいて変調したレーザ光を感光体に照射して、前記プリントデータからなる画像の潜像を形成するとともに、この潜像にトナーを静電的に付着して顕在化し、この顕像を出力用紙に転写して画像を形成するといった画像形成処理を開始する（ＳＡ２）。
【００３０】
また、前記プリンタ部１７は、前記コントローラ１７ａに入力されたプリントデータの全てに対して画像を形成すると（ＳＡ３）、前記画像形成処理を終了する（ＳＡ４）。
【００３１】
尚、前記コントローラ１７ａは、当該プリンタ部１７により最初に画像が形成された出力用紙が当該プリンタ部１７から排出されると（ＳＡ５）、前記ファーストプリント確認フラッグＦ１をセットする（ＳＡ６）。
【００３２】
また、前記プリンタ部１７は、前記制御部２０によって画像形成処理を一旦停止するための画像形成処理停止フラッグＦ２がセットされると（ＳＡ７）、前記画像形成処理を一旦停止する（ＳＡ８）。そして、前記画像形成処理停止フラッグＦ２がリセットされたときには（ＳＡ７）、前記画像形成処理を再開する（ＳＡ２）。
【００３３】
更に、前記プリンタ部１７は、前記制御部２０によって画像形成処理をキャンセルするための画像形成処理キャンセル信号が入力されると（ＳＡ９）、前記内部メモリに一時記憶したプリントデータを消去し（ＳＡ１０）、前記画像形成処理を終了する（ＳＡ４）。
【００３４】
前記ファクシミリ通信部１８は、画像データの送受信処理を行うことによりファクシミリ機能を発揮するもので、ファクシミリ送信すべきデータ（画像データ）の圧縮及び符号化を行うとともに、ファクシミリ受信したデータ（画像データ）の伸長及び復号化を行う符号化／復号化部２１と、圧縮／符号化された画像データの音声信号への変調及びファクシミリ受信した信号（音声信号）の画像データへの復調を行う変復調部２２と、ＮＣＵ（Network Control Unit）に相当し、送受信相手である他の複合機やファクシミリ装置（ＦＡＸ）１４との電話回線１３の接続を制御する網制御部２３と、これらの機能を統括制御する専用のコントローラ１８ａを備えて構成されている。
【００３５】
つまり、前記ファクシミリ通信部１８は、図３に示すように、前記制御部２０から送信先電話番号が入力されると（ＳＢ１）、前記網制御部２３により、前記入力された送信先電話番号に基づいた送信先ＦＡＸ１４との回線接続を試みるとともに、前記送信先ＦＡＸ１４と回線接続できたときには（ＳＢ２）、前記送信先ＦＡＸ１４と回線接続したことを示す接続完了フラグＦ３をセットする（ＳＢ３）。
【００３６】
また、前記接続完了フラグＦ３に基づいて前記制御部２０から画像データが入力されてくると（ＳＢ４）、前記画像データを前記符号化／復号化部２１により圧縮及び符号化を行うとともに、前記変復調部２２により圧縮／符号化された画像データの音声信号への変調を行い、送信先ＦＡＸ１４へ送信するといったＦＡＸ送信を開始する（ＳＢ５）。
【００３７】
前記制御部２０から入力されてくる画像データに対して全て送信が完了すると（ＳＢ６）、送信が完了したことを示す送信完了フラグＦ４をセットする（ＳＢ７）。
【００３８】
また、前記制御部２０から接続終了信号が入力されると（ＳＢ８）、前記網制御部２３により、前記送信先ＦＡＸ１４との回線接続を解消し（ＳＢ９）、前記接続完了フラグＦ３、及び、前記送信完了フラグＦ４をリセットする（ＳＢ１０、ＳＢ１１）。
【００３９】
尚、前記ファクシミリ通信部１８は、図４に示すように、送信元ＦＡＸ１４からの当該デジタル複合機１０への接続要求を受信すると、前記網制御部２３により、前記送信元ＦＡＸ１４との回線接続を開始する。そして、前記送信元ＦＡＸ１４から音声信号を受信すると、前記変復調部２２により前記受信した音声信号を圧縮及び符号化された画像データへ復調を行うとともに、前記符号化／復号化部２１により圧縮及び符号化された画像データの伸長を行い、前記画像メモリ１６へ所定のファイル名を対応付けて記憶させる。
【００４０】
前記操作表示部１９は、図４に示すように、種々の機能を設定する複数のメニュー設定キーが、ソフトウェアキーの形態で表示されるタッチパネル式のカラー表示部３０と、それぞれに予め特定の機能が割り付けられたハードウェアキー３４を備えて構成されている。
【００４１】
前記タッチパネル式のカラー表示部３０は、図５に示すように、その表示部３１に所定の画面を表示する表示手段としてのカラー液晶表示装置３２と、前記カラー液晶表示装置３２の表示部３１上に配置され、ユーザによるその操作位置を検出するタッチパネル３３を備えて構成されている。
【００４２】
前記ソフトウェアキー及び前記ハードウェアキーは、割り付けられる機能によって、第一のメニュー設定キー群と、第二のメニュー設定キー群とに分類されている。
【００４３】
前記第一のメニュー設定キー群は、画像処理動作の起動中にメニュー設定が許容されるメニュー設定キーであり、例えば、前記画像データ処理手段２６としての前記プリンタ部１７やファクシミリ通信部１８が前記画像データ入力手段１５により先に入力された画像データに対しての画像処理メニューに基づいた画像処理動作を実行中に、その画像処理動作の終了後に実行することとなる画像処理動作に対する画像処理メニューを入力可能とする入力予約キー３５や、前記画像データ処理手段２６による画像処理動作の実行後に、当該デジタル複合機１０を省エネモードに移行する省エネモードキー３６等から構成されている。
【００４４】
前記第二のメニュー設定キー群は、画像処理動作の起動中にメニュー設定が禁止されるメニュー設定キーであり、例えば、前記ソフトウェアキーとしてのタッチパネル式のカラー表示部３０に表示される各種メニュー設定キーや、複写枚数または画像データの送信先等を設定する数値入力キー３７、ソフトウェアキーの形態で表示されている各種メニュー設定キーをハードウェアキーにより選択可能とするカーソルキー３９、前記各種メニュー設定キーによりメニュー設定された画像処理メニューを確定させるとともに、前記画像処理メニューに基づく画像処理動作をスタートさせるスタートキー３８、一旦入力した画像処理メニューをリセットするリセットキー４０、実行中の画像処理メニューに基づく画像処理動作を停止させる停止指示手段としてのクリア／ストップキー４１等により構成されている。
【００４５】
また、前記第二のメニュー設定キー群は、詳細は後述する所定の画像処理動作の起動中にメニュー設定が禁止されたときには、前記停止指示手段としてのクリア／ストップキー４１と同一の機能が割り付けられるように構成されている。つまり、所定の画像処理動作の起動中においては、前記第二のメニュー設定キー群における何れのメニュー設定キーが操作されても、前記画像処理メニューに基づく画像処理動作を停止するように構成されている。
【００４６】
そして、前記第一のメニュー設定キー群に比べ、前記第二のメニュー設定キー群の方が、メニュー設定キーの数が格段に多いものとなっている。
【００４７】
以下、前記制御部２０の動作について、図６、図７、図８、図９、図１０のフローチャートに基づいて説明する。当該デジタル複合機１０が起動されると、前記制御部２０は、前記タッチパネル式のカラー表示部３０に、例えば、図１１に示すような、複写機能や、ファクシミリ機能、スキャナ機能、プリント機能の何れかを選択する機能選択画面を表示させる（ＳＣ１）。
【００４８】
前記機能選択画面で、複写機能を選択するソフトウェアキー５０としての複写選択キー５０ａがユーザにより操作されると（ＳＣ２）、前記制御部２０は、前記タッチパネル式のカラー表示部３０に、例えば、図１２（ａ）に示すような、複写機能に対する詳細機能を設定するための複写詳細設定画面を表示させる（ＳＣ３）。
【００４９】
前記複写詳細設定画面では、前記プリンタ部１７により画像が形成される出力用紙の用紙サイズやその方向（印刷の向き）、その給紙方法の設定を行う基本設定キー群５１ａ、前記画像の複写倍率や画像の複写濃度、カラー複写または白黒複写を設定するイメージ設定キー群５１ｂ、前記出力用紙が排出されるときの前記出力用紙の振り分け形態を設定する排紙設定キー群５１ｃ等、機能毎にその詳細条件をメニュー設定する複数のソフトウェアキー５１としてのメニュー設定キー５１と、複写枚数が表示される。
【００５０】
前記各ソフトウェアキー５１のそれぞれは、それぞれが各機能の詳細条件としてメニュー設定されていることがユーザによって認識可能なように、メニュー設定されている詳細条件としてのソフトウェアキー５１が白地に黒文字で、また、詳細条件としてはメニュー設定されていないソフトウェアキー５１が黒地に白文字で表示されている。
【００５１】
例えば、前記図１２（ａ）の例では、出力用紙の用紙サイズやその方向（印刷の向き）としての詳細条件がＡ４サイズで縦方向、その給紙方法の設定が自動給紙、画像の複写倍率や画像の複写濃度が自動倍率と自動濃度、カラー複写または白黒複写の設定がカラー複写、出力用紙の振り分け形態の設定がソートなしにメニュー設定されていることを示し、また、これらの組み合わせと複写枚数とが複写機能における画像処理メニューのデフォルト設定として表示されている。
【００５２】
また、前記各ソフトウェアキー５１のそれぞれは、ユーザによって操作されることにより、操作された白地に黒文字のソフトウェアキー５１が、黒地に白文字のソフトウェアキー５１に切り替わるとともに、操作された白地に黒文字のソフトウェアキー５１と同じ詳細条件分類で黒地に白文字であったソフトウェアキー５１が、白地に黒文字のソフトウェアキー５１切り換えられる。
【００５３】
例えば、ユーザによる用紙サイズやその方向のメニュー設定において、Ｂ５サイズで縦方向を選択するためのソフトウェアキー５１ａ２が操作されたときには、例えば、図１２（ｂ）に示すように、それまで、Ａ４サイズで縦方向が選択されていたことを示す黒地に白文字のＡ４サイズで縦方向を選択するためのソフトウェアキー５１ａ１が、Ａ４サイズで縦方向が選択されていないことを示す白地で黒文字に切り換えられるとともに、それまで、Ｂ５サイズで縦方向が選択されていなかったことを示す白地に黒文字のＢ５サイズで縦方向を選択するためのソフトウェアキー５１ａ２が、Ｂ５サイズで縦方向が選択されたことを示す黒地に白文字に切り換えられる。
【００５４】
そして、前記デフォルト設定であった画像処理メニューは、出力用紙の用紙サイズやその方向（印刷の向き）としての詳細条件がＢ５サイズで縦方向、その給紙方法の設定が自動給紙、画像の複写倍率や画像の複写濃度が自動倍率と自動濃度、カラー複写または白黒複写の設定がカラー複写、出力用紙の振り分け形態の設定がソートなしといった新たな画像処理メニューに編集される。
【００５５】
尚、前記複写枚数は、ハードウェアキーとしての前記数値入力キー３７等により設定することができる。
【００５６】
つまり、黒地に白文字のソフトウェアキー５１として表示されている一群の詳細条件の組み合わせと、前記設定された複写枚数とが、ユーザにより設定された画像処理メニューとして編集されるように構成されている。
【００５７】
このように、ユーザにより詳細条件がメニュー設定され、前記スタートキー３８が操作されると（ＳＣ４）、前記制御部２０は、前記画像処理メニューを確定するとともに（ＳＣ５）、当該デジタル複合機１０に前記画像処理メニューに基づいた複写機能動作を実行させる。
【００５８】
即ち、前記制御部２０は、前記画像形成処理停止フラッグＦ２をリセットするとともに（ＳＣ６）、前記プリント開始信号を前記コントローラ１７ａに出力し（ＳＣ７）、また、前記第二のメニュー設定キー群に画像処理動作を停止させる停止指示手段としての機能を割り付ける（ＳＣ８）。
【００５９】
例えば、ハードウェアキーとしての前記数値入力キー３７や、前記スタートキー３８、前記カーソルキー３９、前記リセットキー４０が、新たに画像処理動作を停止させる停止指示手段としての機能が割り付けられるとともに、前記タッチパネル式のカラー表示部３０の全面がソウトウェアキーとなり、画像処理動作を停止させる停止指示手段としての機能が割り付けられる。
【００６０】
前記制御部２０は、前記スキャナ部１５により、前記原稿載置部にセットされた原稿を読み取り、ライン単位で画像信号に変換し、この画像信号に所定の信号処理（レベル補正、γ補正、Ａ／Ｄ変換等）を施した画像データを順次取得することによって、前記画像データを順次前記画像メモリ１６に記憶させる（ＳＣ９）。
【００６１】
そして、前記制御部２０は、順次前記画像メモリ１６に記憶される画像データが所定単位の画像データ、例えば、原稿１枚分の画像データとして記憶されると（ＳＣ１０）、前記画像メモリ１６に記憶された画像データを前記画像処理メニューに基づいてプリントデータに変換し（ＳＣ１１）、それを前記コントローラ１７ａに出力する（ＳＣ１２）。
【００６２】
また、前記制御部２０は、前記原稿載置部にセットされた原稿全てに対して画像データを取得するとともに、それに対するプリントデータへの変換及び出力が終了すると（ＳＣ１３）、前記第二のメニュー設定キー群への画像処理動作を停止させる停止指示手段としての機能の割り付けを解除し（ＳＣ１４）、前記ステップＳＣ１へ戻る。
【００６３】
尚、前記制御部２０は、前記第二のメニュー設定キー群に画像処理動作を停止させる停止指示手段としての機能が割り付けられているときに、前記第二のメニュー設定キー群、つまり、停止指示手段としての何れかのメニュー設定キーが操作されると（ＳＣ１５）、前記画像形成処理停止フラッグＦ２をセットするとともに（ＳＣ１６）、前記スキャナ部１５による画像データの取得を停止する（ＳＣ１７）。
【００６４】
このとき、前記プリンタ部１７では、上述したように、前記画像形成処理停止フラッグＦ２のセットに基づいて前記画像形成処理が一旦停止する。つまり、ユーザは、画像処理メニューの設定ミスに気が付いたときに、戸惑うことなく、反射的に、任意に適当なメニュー設定キーを操作すれば、大抵の場合において、前記第二のメニュー設定キー群における何れかのメニュー設定キーを操作することとなり、画像処理動作を停止させることができる。
【００６５】
また、前記制御部２０は、前記コントローラ１７ａによる前記ファーストプリント確認フラッグＦ１を確認し、前記ファーストプリント確認フラッグＦ１がリセットされていれば（ＳＣ１８）、当該制御部２０に備えている、画像処理メニューをキャンセルするためのメニューキャンセル手段２４により、前記コントローラ１７ａに前記画像形成処理キャンセル信号を出力するとともに（ＳＣ１９）、前記第二のメニュー設定キー群に画像処理動作を停止させる停止指示手段としての機能の割り付けを解除する（ＳＣ１４）。
【００６６】
このとき、前記プリンタ部１７では、上述したように、前記画像形成処理キャンセル信号に基づいて前記画像形成処理を終了するため、その後、ユーザは、先に設定した画像処理メニューに惑わされることなく、新たな画像処理メニューを再設定することができる。
【００６７】
一方、前記ファーストプリント確認フラッグＦ１がリセットされているときには（ＳＣ１８）、当該制御部２０に備えている、画像処理動作の起動前に画像処理メニューを設定する第一の表示画面とは異なる第二の表示画面に変更する表示画面変更手段２５により、前記タッチパネル式のカラー表示部３０に、例えば、図１３に示すように、設定された画像処理メニューに基づいた画像処理動作をキャンセルするか否かを選択するキャンセル選択画面を表示する（ＳＣ２０）。
【００６８】
前記キャンセル表示画面で、ユーザにより、画像処理メニューに基づいた画像処理動作をキャンセルするためのキャンセルキー５２ｂが操作されると（ＳＣ２１）、前記ステップＳＣ１９へ進む。また、画像処理メニューに基づいた画像処理動作を継続するための、つまり、現在停止している画像処理メニューに基づいた画像処理動作を再開するための継続キー５２ａが操作されると（ＳＣ２２）、前記画像形成処理停止フラッグＦ２をリセットするとともに（ＳＣ２３）、前記スキャナ部１５による画像データの取得を再開する（ＳＣ９）。
【００６９】
つまり、ユーザが、一旦停止した画像処理メニューに基づいた画像処理動作をキャンセルするか否か、または、継続するか否かの判断を行うことが可能なように構成されている。
【００７０】
前記機能選択画面で、ファクシミリ機能を選択するソフトウェアキー５０としてのファクシミリ選択キー５０ｂがユーザにより操作されると（ＳＣ２４）、前記制御部２０は、前記タッチパネル式のカラー表示部３０に、ファクシミリ機能に対する詳細機能を設定するためのファクシミリ詳細設定画面を表示させる（ＳＣ２５）。
【００７１】
前記ファクシミリ詳細設定画面では、例えば、予め登録されている複数の送信先電話番号が表示され、前記登録されている送信先電話番号のから希望の送信先電話番号を選択することが可能となっている。また、原稿の読取解像度や、カラー取得または白黒取得の設定等の詳細条件をメニュー設定することが可能となっている。そして、ユーザによりメニュー設定されるこれらの組み合わせがファクシミリ機能における画像処理メニューとして編集される。
【００７２】
ユーザにより、予め登録されている送信先電話番号から任意の送信先電話番号が選択されるか、または、前記数値入力キーを介して送信先電話番号が入力され、前記スタートキー３８が操作されると（ＳＣ２６）、前記制御部２０は、前記画像処理メニューを確定するとともに（ＳＣ２７）、前記画像処理メニューとして確定した送信先電話番号を前記ファクシミリ通信部１８へ出力する（ＳＣ２８）。
【００７３】
前記制御部２０は、前記ファクシミリ通信部１８により、前記出力した送信先電話番号に基づいた前記接続完了フラグＦ３がセットされると（ＳＣ２９）、前記第二のメニュー設定キー群に画像処理動作を停止させる停止指示手段としての機能を割り付ける（ＳＣ３０）。
【００７４】
そして、前記制御部２０は、前記スキャナ部１５により、前記原稿載置部にセットされた原稿を読み取り、ライン単位で画像信号に変換し、この画像信号に所定の信号処理（レベル補正、γ補正、Ａ／Ｄ変換等）を施した画像データを順次取得することによって、前記画像データを順次前記画像メモリ１６に記憶させる（ＳＣ３１）。
【００７５】
尚、前記制御部２０は、前記第二のメニュー設定キー群、つまり、停止指示手段としての何れかの操作キーが操作されると（ＳＣ３２）、前記スキャナ部１５による画像データの取得を停止するとともに（ＳＣ３３）、前記キャンセル手段により前記接続終了信号を前記ファクシミリ通信部１８に出力する（ＳＣ３４）。そして、前記第二のメニュー設定キー群への画像処理動作を停止させる停止指示手段としての機能の割り付けを解除し（ＳＣ３５）、前記ステップＳＣ１に戻る。
【００７６】
このとき、前記ファクシミリ通信部１８では、上述したように、前記接続終了信号の入力に基づいて前記送信先ＦＡＸ１４との回線接続が解消される。つまり、ユーザは、画像処理メニューの設定ミスに気が付いたときに、戸惑うことなく、反射的に、任意に適当なメニュー設定キーを操作すれば、大抵の場合において、前記第二のメニュー設定キー群における何れかのメニュー設定キーを操作することとなり、画像処理動作を停止させることができる。
【００７７】
前記制御部２０は、順次前記画像メモリ１６に記憶される画像データが所定単位の画像データ、例えば、原稿１枚分の画像データとして記憶されると（ＳＣ３６）、前記画像メモリ１６に記憶された画像データを前記ファクシミリ通信部１８への出力を開始し（ＳＣ３７）、前記第二のメニュー設定キー群への画像処理動作を停止させる停止指示手段としての機能の割り付けを解除するとともに（ＳＣ３８）、前記第二のメニュー設定キー群によるメニュー設定を禁止する（ＳＣ３９）。
【００７８】
前記制御部２０は、前記原稿載置部にセットされた原稿に対して全て画像データを取得するとともに、それに対する前記ファクシミリ通信部１８への出力が終了すると（ＳＣ４０）、前記ファクシミリ通信部１８によりセットされる前記送信完了フラグＦ４を確認する。そして、前記送信完了フラグＦ４がセットされると（ＳＣ４１）、前記接続終了信号を前記ファクシミリ通信部１８に出力するとともに（ＳＣ４２）、前記第二のメニュー設定キー群によるメニュー設定の禁止を解除し（ＳＣ４３）、前記ステップＳＣ１に戻る。
【００７９】
つまり、ファクシミリ機能においては、前記送信先ＦＡＸに画像データを送信する前においては、画像処理動作の停止が可能なように、また、前記送信先ＦＡＸに画像データを送信しているときには、画像処理動作を停止させることがないように構成されている。
【００８０】
前記機能選択画面で、スキャナ機能を選択するソフトウェアキー５０としてのスキャナ選択キー５０ｃがユーザにより操作されると（ＳＣ４４）、前記制御部２０は、前記タッチパネル式のカラー表示部３０に、スキャナ機能に対する詳細機能を設定するためのスキャナ詳細設定画面を表示させる（ＳＣ４５）。
【００８１】
前記スキャナ詳細設定画面では、原稿の読取解像度や、カラー取得または白黒取得の設定等の詳細条件をメニュー設定することが可能となっている。そして、ユーザによりメニュー設定されるこれらの組み合わせがスキャナ機能における画像処理メニューとして編集される。
【００８２】
ユーザにより詳細条件がメニュー設定され、前記スタートキー３８が操作されると（ＳＣ４６）、前記制御部２０は、前記画像処理メニューを確定し（ＳＣ４７）、前記第二のメニュー設定キー群に画像処理動作を停止させる停止指示手段としての機能を割り付ける（ＳＣ４８）。
【００８３】
そして、前記制御部２０は、前記スキャナ部１５により、前記原稿載置部にセットされた原稿を読み取り、ライン単位で画像信号に変換し、この画像信号に所定の信号処理（レベル補正、γ補正、Ａ／Ｄ変換等）を施した画像データを順次取得することによって、前記画像データを順次前記画像メモリ１６に記憶させる（ＳＣ４９）。
【００８４】
尚、前記制御部２０は、前記第二のメニュー設定キー群、つまり、停止指示手段としての何れかの操作キーが操作されると（ＳＣ５０）、前記スキャナ部１５による画像データの取得を停止するとともに（ＳＣ５１）、前記第二のメニュー設定キー群への画像処理動作を停止させる停止指示手段としての機能の割り付けを解除し（ＳＣ５２）、前記ステップＳＣ１に戻る。
【００８５】
前記制御部２０は、前記原稿載置部にセットされた原稿に対して全て画像データを取得すると（ＳＣ５３）、前記第二のメニュー設定キー群への画像処理動作を停止させる停止指示手段としての機能の割り付けを解除し（ＳＣ５４）前記タッチパネル式のカラー表示部３０に、前記画像メモリ１６に記憶した画像データに対するファイル名を設定するファイル名設定画面を表示させる（ＳＣ５５）。
【００８６】
ユーザにより、ファイル名が設定され、例えば、前記ファイル名設定画面に表示されるソフトウェアキーとしての確定キーが操作されると（ＳＣ５６）、前記前記画像メモリ１６に記憶した画像データに前記ファイル名を対応付けて記憶し（ＳＣ５７）、前記ステップＳＣ１に戻る。
【００８７】
前記機能選択画面で、プリンタ機能を選択するソフトウェアキー５０としてのプリンタ選択キー５０ｄがユーザにより操作されると（ＳＣ５８）、前記制御部２０は、前記タッチパネル式のカラー表示部３０に、出力用紙上に画像を形成して出力するファイルを選択するファイル選択画面を表示させる（ＳＣ５９）。
【００８８】
前記ファイル選択画面では、例えば、前記スキャナ機能により前記画像メモリ１６に記憶された各画像データに対するファイル名や、前記ファクシミリ通信部１８により前記画像メモリ１６に記憶された各画像データに対するファイル名が一覧表示され、任意のファイル名を選択することが可能となっている。
【００８９】
ユーザにより、任意のファイル名が選択され、例えば、前記ファイル選択画面に表示されるソフトウェアキーとしての確定キーが操作されると（ＳＣ６０）、前記制御部２０は、前記タッチパネル式のカラー表示部３０に、前記ファイル名に対応したプリンタ機能に対する詳細機能を設定するためのプリンタ詳細設定画面を表示させる（ＳＣ６１）。
【００９０】
前記プリンタ詳細設定画面では、例えば、前記図１２（ａ）に示した、複写詳細設定画面と同様の画面が表示される。つまり、前記プリンタ詳細設定画面は、ユーザにより設定されたファイル名に対応する前記画像メモリ１６に記憶された画像データに対する複写詳細設定画面として表示される。
【００９１】
前記複写機能が選択されたときと同様にして、ユーザにより詳細条件がメニュー設定され、前記スタートキー３８が操作されると（ＳＣ６２）、前記制御部２０は、前記画像処理メニューを確定するとともに（ＳＣ６３）、当該デジタル複合機１０に前記画像処理メニューに基づいたプリント機能動作を実行させる。
【００９２】
即ち、前記制御部２０は、前記画像形成処理停止フラッグＦ２をリセットするとともに（ＳＣ６４）、前記プリント開始信号を前記コントローラ１７ａに出力し（ＳＣ６５）、また、前記第二のメニュー設定キー群に画像処理動作を停止させる停止指示手段としての機能を割り付ける（ＳＣ６６）。
【００９３】
そして、前記制御部２０は、前記画像メモリ１６に記憶されている、ユーザにより設定されたファイル名に対応する画像データの前記画像処理メニューに基づいたプリントデータへの変換を開始するとともに（ＳＣ６７）、前記変換したプリントデータの前記コントローラ１７ａへの出力を開始する（ＳＣ６８）。
【００９４】
前記制御部２０は、前記変換したプリントデータを全て前記コントローラ１７ａへ出力すると（ＳＣ６９）、前記第二のメニュー設定キー群への画像処理動作を停止させる停止指示手段としての機能の割り付けを解除し（ＳＣ７０）、前記ステップＳＣ１へ戻る。
【００９５】
尚、前記制御部２０は、前記第二のメニュー設定キー群に画像処理動作を停止させる停止指示手段としての機能が割り付けられているときに、前記第二のメニュー設定キー群、つまり、停止指示手段としての何れかのメニュー設定キーが操作されると（ＳＣ７１）、前記第二のメニュー設定キー群、つまり、停止指示手段としての何れかのメニュー設定キーが操作されると（ＳＣ７２）、前記画像形成処理停止フラッグＦ２をセットする（ＳＣ７３）。
【００９６】
そして、前記コントローラ１７ａによる前記ファーストプリント確認フラッグＦ１を確認し、前記ファーストプリント確認フラッグＦ１がリセットされていれば（ＳＣ７４）、当該制御部２０に備えている画像処理メニューをキャンセルするためのメニューキャンセル手段２４により、前記コントローラ１７ａに前記画像形成処理キャンセル信号を出力するとともに（ＳＣ７５）、前記第二のメニュー設定キー群に画像処理動作を停止させる停止指示手段としての機能の割り付けを解除する（ＳＣ７０）。また、前記ファーストプリント確認フラッグＦ１がリセットされているときには（ＳＣ７４）、前記表示画面変更手段２５により、前記タッチパネル式のカラー表示部３０に、例えば、前記図１３と同様に、設定された画像処理メニューに基づいた画像処理動作をキャンセルするか否かを選択するキャンセル選択画面を表示する（ＳＣ７７）。
【００９７】
前記キャンセル表示画面で、ユーザにより、画像処理メニューに基づいた画像処理動作をキャンセルするためのキャンセルキー５２ａが操作されると（ＳＣ７８）、前記ステップＳＣ７５へ進む。また、画像処理メニューに基づいた画像処理動作を継続するための、つまり、現在停止している画像処理メニューに基づいた画像処理動作を再開するための継続キー５２ｂが操作されると（ＳＣ７９）、前記画像形成処理停止フラッグＦ２をリセットし（ＳＣ８０）、前記ステップ６７へ戻る。
【００９８】
以下、別の実施形態について説明する。上述の実施形態では、停止指示手段としての何れかのメニュー設定キーが操作されたときに、前記表示画面変更手段２５が、前記タッチパネル式のカラー表示部３０に、画像処理動作の起動前に画像処理メニューを設定する第一の表示画面とは異なる第二の表示画面として、例えば、前記図１３に示したような、設定された画像処理メニューに基づいた画像処理動作をキャンセルするか否かを選択するキャンセル選択画面を表示する構成について説明したが、前記表示画面変更手段２５は、停止指示手段としての何れかのメニュー設定キーが操作されたときに、前記タッチパネル式のカラー表示部３０に、例えば、図１４に示すように、前記キャンセル選択画面に加え、デフォルトから変更された機能を表示する構成としてもよいし、または、デフォルトから変更されていない詳細条件としての機能を表示する構成としてもよいし、更には、前記複写詳細設定画面を表示する構成としてもよい。
【００９９】
そして、前記タッチパネル式のカラー表示部３０に表示された詳細条件に対してメニュー設定が変更され、現在停止している画像処理メニューに基づいた画像処理動作を再開するための継続キー５３ｂが操作されたときには、前記制御部２０は、画像処理動作を停止している画像処理メニューを前記メニュー設定の変更に対応して変更して、例えば、前記複写機能であれば、前記ステップＳＣ２３へ、また、前記プリント機能であれば、前記ステップＳＣ８０へ進む構成としてもよい。
【０１００】
つまり、停止させた画像処理メニューを容易に変更することができる。
【０１０１】
尚、画像処理メニューに基づいた画像処理動作をキャンセルするためのキャンセルキー５３ａが操作されたときには、そのまま、例えば、前記複写機能であれば、前記ステップＳＣ１９へ、また、前記プリント機能であれば前記ステップＳＣ７５へ進む構成とすればよい。
【０１０２】
上述した実施形態は、本発明の一例に過ぎず、各機能ブロックの具体的な構成は本発明の作用効果を奏する範囲において適宜変更設計できることはいうまでもない。
【図面の簡単な説明】
【０１０３】
【図１】デジタル複写機の説明図
【図２】プリンタ部の動作を説明するためのフローチャート
【図３】ファクシミリ通信部の動作を説明するためのフローチャート
【図４】操作表示部の説明図
【図５】タッチパネル式のカラー表示部の説明図
【図６】制御部の動作を説明するためのフローチャート
【図７】制御部の動作を説明するためのフローチャート
【図８】制御部の動作を説明するためのフローチャート
【図９】制御部の動作を説明するためのフローチャート
【図１０】制御部の動作を説明するためのフローチャート
【図１１】機能選択画面の説明図
【図１２】複写詳細設定画面の説明図であり、（ａ）は画像処理メニューのデフォルト設定の例、（ｂ）はデフォルト設定から変更された画像処理メニューの例
【図１３】キャンセル選択画面の説明図
【図１４】別実施形態におけるキャンセル選択画面の説明図
【図１５】従来技術における操作パネルの説明図
【符号の説明】
【０１０４】
１０：デジタル複合機
１１：インターフェース
１２：パーソナルコンピュータ
１３：電話回線
１４：ＦＡＸ
１５：画像データ入力手段（スキャナ部）
１６：画像メモリ
１７：画像形成手段（プリンタ部）
１８：ファクシミリ通信部
１９：操作表示部（操作手段）
２０：制御部
２１：符号化／複合化部
２２：変復調部
２３：網制御部
２４：メニューキャンセル手段
２５：表示画面変更手段
２６：画像データ処理手段
【図１】
0004627493.tif 000002
【図２】
0004627493.tif 000003
【図３】
0004627493.tif 000004
【図４】
0004627493.tif 000005
【図５】
0004627493.tif 000006
【図６】
0004627493.tif 000007
【図７】
0004627493.tif 000008
【図８】
0004627493.tif 000009
【図９】
0004627493.tif 000010
【図１０】
0004627493.tif 000011
【図１１】
0004627493.tif 000012
【図１３】
0004627493.tif 000013
【図１４】
0004627493.tif 000014
【図１５】
0004627493.tif 000015
【図１２】
0004627493.tif 000016